(57)【要約】【課題】搬送時等の胴部の損傷を防止できる展示台を提供する。【解決手段】上下面を開口した筒状の胴部１０と、胴部１０内に配されるとともに胴部１０よりも低い支持部材２０と、支持部材２０上に配される天板４とを備え、天板４上に商品が載置される展示台１において、天板４及び折り畳まれた胴部１０を収納して搬送される外箱１００を有し、支持部材２０が外箱１００を組み立てて形成される。【選択図】図６
2015104610.tif 000002
【特許請求の範囲】
【請求項１】
上下面を開口した筒状の胴部と、前記胴部内に配されるとともに前記胴部よりも低い支持部材と、前記支持部材上に配される天板とを備え、前記天板上に商品が載置される展示台において、
前記天板及び折り畳まれた前記胴部を収納して搬送される外箱を有し、前記支持部材が前記外箱を組み立てて形成されることを特徴とする展示台。
【請求項２】
前記外箱が正面板と、前記正面板の両側方に折り線を介して連設される一対の側板と、前記正面板の上方に折り線を介して連設される上板と、前記正面板の下方に折り線を介して連設される底板とを有して、前記側板、前記上板及び前記底板を前記正面板上に重ねて閉止されるとともに、前記正面板及び前記側板を立設して前記上板及び前記底板を前記側板の上下面に配することにより前記支持部材が形成されることを特徴とする請求項１に記載の展示台。
【請求項３】
前記側板が上下に延びた折り線から成る折曲部を有するとともに、前記上板及び前記底板が折り線により折曲される係止部を先端に有し、
前記支持部材が前記側板を前記折曲部で折曲して前記側板の上下端及び上下の前記係止部に設けられる切欠きを相互に嵌め合わせて形成され、前記上板に設けた前記切欠きと前記底板に設けた前記切欠きの前後位置が異なることを特徴とする請求項２に記載の展示台。
【請求項４】
前記胴部の水平断面形状を矩形に形成し、前記正面板の両側端及び前記側板の開放端によって前記胴部の頂点を支持することを特徴とする請求項２または請求項３に記載の展示台。
【請求項５】
前記天板の後端に連設して折曲により立設される背面板と、前記背面板の両側端に連設して前方に折曲される支持板とを備えるとともに、前記支持板が水平方向に折曲されるフラップを下端部に有し、前記背面板及び前記支持板が前記胴部に内嵌して、前記フラップを前記支持部材と前記天板との間に配したことを特徴とする請求項１〜請求項４のいずれかに記載の展示台。
【請求項６】
上下面を開口した筒状の胴部と、前記胴部内に配されるとともに前記胴部よりも低い支持部材と、前記支持部材上に配される天板とを備え、前記天板上に商品が載置される展示台において、
前記天板の後端に連設して折曲により立設される第１背面板と、第１背面板の両側端に連設して前方に折曲される支持板とを備えるとともに、前記支持板が水平方向に折曲されるフラップを下端部に有し、第１背面板及び前記支持板が前記胴部に内嵌して、前記フラップを前記支持部材と前記天板との間に配し、
前記天板と第１背面板と前記支持板とが一のブランク板により形成され、
前記胴部が両側方に側面板を連設した前面板と前記前面板に対向する第２背面板とを有するとともに前記側面板と第２背面板とを接着して水平断面形状を矩形に形成され、前記側面板に上下に延びる折り線により折り畳まれ、
前記天板、第１背面板、前記支持板及び折り畳まれた前記胴部を収納して搬送される外箱を有し、
前記外箱が正面板と、前記正面板の両側方に折り線を介して連設される一対の側板と、前記正面板の上方に折り線を介して連設される上板と、前記正面板の下方に折り線を介して連設される底板とを有するとともに前記正面板に前記側板、前記上板及び前記底板を接着して形成され、前記側板、前記上板及び前記底板を前記正面板上に重ねて閉止され、
前記側板が上下に延びた折り線から成る折曲部を有するとともに、前記上板及び前記底板が折り線により折曲される係止部を先端に有し、
前記正面板及び前記側板を立設して前記上板及び前記底板を前記側板の上下面に配するとともに、前記側板を前記折曲部で折曲して前記側板の上下端及び上下の前記係止部に設けられる切欠きを相互に嵌め合わせることにより前記支持部材が形成され、
前記上板に設けた前記切欠きと前記底板に設けた前記切欠きの前後位置が異なるとともに、前記正面板の両側端及び前記側板の開放端によって前記胴部の頂点を支持することを特徴とする展示台。
【発明の詳細な説明】
【技術分野】
【０００１】
本発明は、店舗等の床面に配置される展示台に関する。
【背景技術】
【０００２】
スーパーマーケットやドラッグストア等の店舗の床面に配置されて商品を展示する従来の展示台は特許文献１に開示されている。この展示台は筒状の胴部、支持部材及び天板を備える。胴部は上下面に開口を有し、水平断面形状が矩形に形成される。支持部材は胴部内に配されて高さが胴部よりも低く、天板及び天板上の商品を下方から支持する。
【０００３】
胴部は前面板と、折り線を介して前面板の両側方に連設される一対の側面板と、前面板に対向する背面板とを有する。両方の側面板の後端には突設部が突設されるとともに背面板の両端部にはスリットが形成される。突設部がスリットに挿入されると側面板が背面板に係止され、胴部が形成される。
【０００４】
支持部材は、上下に延びる折り線から成る折曲部を有して互いに対向する一対の支持板と、支持板の後端に連設されて支持板に対して折曲可能な係止板とを有する。支持板の前端部及び後端部はそれぞれ胴部の前面板及び背面板に接着される。支持板は折曲部で互いに近づくように折り曲げられ、係止板は前方に回動する。この時、係止板の前端に設けられた突設部が支持板の折曲部よりも前方に設けられたスリットに挿入されることによって支持部材が形成される。
【０００５】
上記構成の展示台は設置場所に搬送される際には、背面板に係止されていない側面板が折り線を介して前方に回動し、前面板上に重ねられる。この時、天板も前面板上に重ねて配される。そして、係止板に係止されていない支持板が折曲部で水平方向に折り畳まれる。これにより、胴部の背面板が前面板に近接した状態で前面板に重ねられる。
【０００６】
その後に、係止板が前方に回動し、胴部の前面板上に重ねられている側面板上に重ねられる。これにより、胴部の前面板及び側面板が係止板と背面板との間に配されて、展示台を扁平状態にして設置場所に容易に搬送することができる。
【先行技術文献】
【特許文献】
【０００７】
【特許文献１】特許第４９５９９６９号公報（第５頁〜第８頁、第１図、第６図、第９図、第１３図）
【発明の概要】
【発明が解決しようとする課題】
【０００８】
しかしながら、上記従来の展示台によると支持部材が胴部よりも低いため、搬送時等に支持部材の係止板は胴部の前面板及び側面板の全部を覆うことができない。このため、展示台の搬送時等に胴部が損傷する問題があった。
【０００９】
本発明は、搬送時等の胴部の損傷を防止できる展示台を提供することを目的とする。
【課題を解決するための手段】
【００１０】
上記目的を達成するために本発明は、上下面を開口した筒状の胴部と、前記胴部内に配されるとともに前記胴部よりも低い支持部材と、前記支持部材上に配される天板とを備え、前記天板上に商品が載置される展示台において、前記天板及び折り畳まれた前記胴部を収納して搬送される外箱を有し、前記支持部材が前記外箱を組み立てて形成されることを特徴としている。
【００１１】
この構成によると、天板及び折り畳まれた胴部は外箱内に収納されて設置場所に搬送される。そして、天板及び折り畳まれた胴部が取り出された外箱から支持部材が組み立てられる。胴部は伸張されて内部に支持部材が配され、支持部材上には天板が配される。これにより、展示台が組み立てられる。
【００１２】
また本発明は、上記構成の展示台において、前記外箱が正面板と、前記正面板の両側方に折り線を介して連設される一対の側板と、前記正面板の上方に折り線を介して連設される上板と、前記正面板の下方に折り線を介して連設される底板とを有して、前記側板、前記上板及び前記底板を前記正面板上に重ねて閉止されるとともに、前記正面板及び前記側板を立設して前記上板及び前記底板を前記側板の上下面に配することにより前記支持部材が形成されると好ましい。
【００１３】
この構成によると、側板、上板及び底板を正面板上に重ねて閉止される外箱内に天板及び折り畳まれた胴部が収納される。また、外箱を開封して天板及び胴部を取り出した後に、正面板及び側板を立設して上板及び底板を側板の上下面に配することにより支持部材が形成される。
【００１４】
また本発明は、上記構成の展示台において、前記側板が上下に延びた折り線から成る折曲部を有するとともに、前記上板及び前記底板が折り線により折曲される係止部を先端に有し、前記支持部材が前記側板を前記折曲部で折曲して前記側板の上下端及び上下の前記係止部に設けられる切欠きを相互に嵌め合わせて形成され、前記上板に設けた前記切欠きと前記底板に設けた前記切欠きの前後位置が異なると好ましい。
【００１５】
また本発明は、上記構成の展示台において、前記胴部の水平断面形状を矩形に形成し、前記正面板の両側端及び前記側板の開放端によって前記胴部の頂点を支持すると好ましい。
【００１６】
また本発明は、上記構成の展示台において、前記天板の後端に連設して折曲により立設される背面板と、前記背面板の両側端に連設して前方に折曲される支持板とを備えるとともに、前記支持板が水平方向に折曲されるフラップを下端部に有し、前記背面板及び前記支持板が前記胴部に内嵌して、前記フラップを前記支持部材と前記天板との間に配すると好ましい。
【００１７】
また本発明は、上下面を開口した筒状の胴部と、前記胴部内に配されるとともに前記胴部よりも低い支持部材と、前記支持部材上に配される天板とを備え、前記天板上に商品が載置される展示台において、
前記天板の後端に連設して折曲により立設される第１背面板と、第１背面板の両側端に連設して前方に折曲される支持板とを備えるとともに、前記支持板が水平方向に折曲されるフラップを下端部に有し、第１背面板及び前記支持板が前記胴部に内嵌して、前記フラップを前記支持部材と前記天板との間に配し、
前記天板と第１背面板と前記支持板とが一のブランク板により形成され、
前記胴部が両側方に側面板を連設した前面板と前記前面板に対向する第２背面板とを有するとともに前記側面板と第２背面板とを接着して水平断面形状を矩形に形成され、前記側面板に上下に延びる折り線により折り畳まれ、
前記天板、第１背面板、前記支持板及び折り畳まれた前記胴部を収納して搬送される外箱を有し、
前記外箱が正面板と、前記正面板の両側方に折り線を介して連設される一対の側板と、前記正面板の上方に折り線を介して連設される上板と、前記正面板の下方に折り線を介して連設される底板とを有するとともに前記正面板に前記側板、前記上板及び前記底板を接着して形成され、前記側板、前記上板及び前記底板を前記正面板上に重ねて閉止され、
前記側板が上下に延びた折り線から成る折曲部を有するとともに、前記上板及び前記底板が折り線により折曲される係止部を先端に有し、
前記正面板及び前記側板を立設して前記上板及び前記底板を前記側板の上下面に配するとともに、前記側板を前記折曲部で折曲して前記側板の上下端及び上下の前記係止部に設けられる切欠きを相互に嵌め合わせることにより前記支持部材が形成され、
前記上板に設けた前記切欠きと前記底板に設けた前記切欠きの前後位置が異なるとともに、前記正面板の両側端及び前記側板の開放端によって前記胴部の頂点を支持することを特徴としている。
【発明の効果】
【００１８】
本発明によると、天板及び折り畳まれた胴部を収納して搬送される外箱を有し、胴部内に配されて胴部よりも低い支持部材が外箱を組み立てて形成される。これにより、天板及び胴部を外箱内に収納したコンパクトな状態で展示台を設置場所に搬送し、設置場所で展示台を容易に組み立てることができる。また、展示台の搬送時等に胴部は外箱からはみ出さない。したがって、展示台の搬送時等の胴部の損傷を防止することができる。また、展示台の組み立て後には外箱を展示台の支持部材として利用することができる。したがって、展示台の組み立て後でも外箱を有効利用することができる。
【図面の簡単な説明】
【００１９】
【図１】本発明の実施形態の展示台を示す斜視図
【図２】本発明の実施形態の展示台の外箱を形成する各ブランク板を連結した状態の展開図
【図３】本発明の実施形態の展示台の胴部を形成する各ブランク板を連結した状態の展開図
【図４】本発明の実施形態の展示台の載置部を形成するブランク板を示す展開図
【図５】本発明の実施形態の展示台の載置部の折り畳まれた様子を示す斜視図
【図６】本発明の実施形態の展示台の外箱内に胴部及び載置部を収納した様子を示す斜視図
【図７】本発明の実施形態の展示台の外箱を開封した様子を示す斜視図
【図８】本発明の実施形態の展示台の胴部を示す斜視図
【図９】本発明の実施形態の展示台の支持部材を示す斜視図
【図１０】本発明の実施形態の展示台の支持部材に胴部を被せている途中の様子を示す斜視図
【図１１】本発明の実施形態の展示台の平面断面図
【図１２】本発明の実施形態の展示台の載置部の組み立て途中の様子を示す斜視図
【発明を実施するための形態】
【００２０】
以下に本発明の実施形態を図面を参照して説明する。図１は本発明の一実施形態の展示台の斜視図を示している。展示台１は筒状の胴部１０、支持部材２０（図９参照）及び載置部３０を有し、床面等の設置面上に立設される。展示台１の左右方向、高さ方向及び奥行方向の長さは例えばそれぞれ約４００ｍｍ、約１２００ｍｍ及び約３００ｍｍになっている。胴部１０は対向する前面板２及び背面板３を両側方の側面板６、７により連結して形成され、上下面を開口する。これにより、胴部１０の水平断面形状が矩形に形成される。
【００２１】
側面板６、７はそれぞれ上下方向に延びる折り線５０から成る折り畳み部６ａ、７ａ（図３参照）を有する。また、前面板２、背面板３及び側面板６、７は水平方向に延びる折り線５０から成る折り畳み部１０ａを有する。
【００２２】
支持部材２０は胴部１０内に配され、高さが胴部１０よりも低くなっている。詳細を後述するように、支持部材２０は外箱１００（図６参照）を組み立てて形成される。
【００２３】
載置部３０は胴部１０の上端部に配され、天板４、背面板８及び支持板１１、１２を有する。天板４、背面板８及び支持板１１、１２は胴部１０に内嵌される。天板４は支持部材２０上に配され、胴部１０の上方の開口１０ｂ（図８参照）を閉じる。天板４上には商品が載置される。支持部材２０により天板４及び天板４上に載置される商品の荷重が支えられる。背面板８は天板４の後端に立設され、支持板１１、１２により前傾が防止される。
【００２４】
この時、天板４上に載置される商品に関する絵、写真や文字等を背面板８や胴部１０に印刷することにより、商品の広告宣伝を行うことができる。なお、背面板８や胴部１０は無地でもよく、また商品とは関係のない模様等を背面板８や胴部１０に描画してもよい。なお、背面板８及び支持板１１、１２を省いてもよい。
【００２５】
また、支持部材２０及び載置部３０を取り外した胴部１０を折り畳み部６ａ、７ａで水平方向に折り畳んだ後に、折り畳み部１０ａで垂直方向に折り畳むことができる。
【００２６】
図２は、外箱１００を形成するブランク板７１、７２、７３、７４、７５を連結した状態の展開図である。ブランク板７５の右端部、左端部、上端部及び下端部にはそれぞれブランク板７１、７２、７３、７４が接着剤等により接着される。ブランク板７１、７２、７３、７４、７５は、外箱１００のそれぞれ側板２１、側板２２、上板２３、底板２４及び正面板２５を形成する。なお、ブランク板７１、７２、７３、７４、７５は、例えば段ボール紙により形成される。
【００２７】
側板２１は左右方向の中央部に上下に延びる折り線５０から成る折曲部２１ａを有する。側板２１の上端及び下端にはそれぞれ切欠き２１ｃ、２１ｄが設けられる。切欠き２１ｃは折曲部２１ａよりも左方に形成され、切欠き２１ｄは折曲部２１ａよりも右方に形成される。側板２１の内面の右端部には、ループ状に密集して起毛された合成繊維を有するループ部２１ｆが設けられる。側板２１の左端には糊代片２１ｂが連設される。
【００２８】
側板２２は左右方向の中央部に上下に延びる折り線５０から成る折曲部２２ａを有する。側板２２の上端及び下端にはそれぞれ切欠き２２ｃ、２２ｄが設けられる。切欠き２２ｃは折曲部２２ａよりも右方に形成され、切欠き２２ｄは折曲部２２ａよりも左方に形成される。側板２２の外面の左端部には、フック状に起毛された合成繊維を有するフック部２２ｆが設けられる。フック部２２ｆとループ部２１ｆとにより面ファスナーが構成される。側板２２の右端には糊代片２２ｂが連設される。
【００２９】
なお、折曲部２１ａ、２２ａをリード罫により形成すると、後述のように支持部材２０を形成する時に側板２１、２２を容易に折り曲げることができるので好ましい。この場合に、外箱１００において折曲部２１ａ、２２ａが重ならないようにする。これにより、外箱１００内に収納された胴部１０及び載置部３０がリード罫の切れ目から外箱１００の外部に対して露出することを防止できる。また、係止部２３ａ、２４ａをそれぞれ上板２３及び底板２４に対して折り曲げる折り線５０をリード罫により形成してもよい。
【００３０】
上板２３は、折り線５０により折曲される係止部２３ａを上端部に有する。係止部２３ａの上端には２つの切欠き２３ｃが左右に並設される。また、上板２３の下端には折り線５０を介して糊代片２３ｂが連設される。
【００３１】
底板２４は上板２３よりも広い面積を有し、折り線５０により折曲される係止部２４ａを下端部に有する。係止部２４ａの下端には２つの切欠き２４ｃが左右に並設される。また、底板２４の上端には折り線５０を介して糊代片２４ｂが連設される。
【００３２】
糊代片２１ｂ、２２ｂ、２３ｂ、２４ｂは接着剤等を介して正面板２５のそれぞれ右端部、左端部、上端部及び下端部に接着される。これにより、側板２１、側板２２、上板２３及び底板２４が正面板２５に連結される。この時、側板２１、側板２２、上板２３及び底板２４の正面板２５側にはそれぞれマチ部２７が形成される。なお、一のブランク板により外箱１００を形成してもよい。
【００３３】
図３は、胴部１０を形成するブランク板６１、６２を連結した状態を示す展開図である。ブランク板６１、６２はロール紙や紙製のシートを打ち抜いて形成される。ブランク板６１は前面板２及び側面板６、７を形成し、ブランク板６２は背面板３を形成する。なお、ブランク板６１が背面板３及び側面板６、７を形成し、ブランク板６２が前面板２を形成してもよい。
【００３４】
ブランク板６１、６２の材質に特に限定はないが、例えばマニラボール、ボール紙、カード紙、クラフトボール等の板紙を用いることができる。また、樹脂シートによりブランク板６１、６２を形成してもよい。
【００３５】
ブランク板６１は前面板２の一側方に折り線５０を介して側面板６及び糊代片６ｂが連設され、他側方に折り線５０を介して側面板７及び糊代片７ｂが連設される。糊代片６ｂは接着剤等を介して背面板３の内面の左端部に接着される。糊代片７ｂは接着剤等を介して背面板３の内面の右端部に接着される。これにより、筒状の胴部１０が形成される。なお、一のブランク板により胴部１０を形成してもよい。
【００３６】
そして、側面板６、７は折り畳み部６ａ、７ａで山折りされる。すなわち、側面板６、７は互いに近づくように折り畳み部６ａ、７ａで折り畳まれる。これにより、前面板２は背面板３に近接して重なった状態に配される。すなわち、胴部１０は扁平に押し潰された状態になる。そして、折り畳み部６ａ、７ａで折り畳まれた胴部１０を折り畳み部１０ａで折り畳む。これにより、胴部１０はさらにコンパクトに折り畳まれる。
【００３７】
図４は、載置部３０を形成するブランク板８１を示す展開図である。背面板８の一側方に折り線５０を介して三角形状の支持片１１ｂ、１１ｃが連設され、他側方に折り線５０を介して三角形状の支持片１２ｂ、１２ｃが連設される。支持板１１は支持片１１ｂ、１１ｃから成り、支持板１２は支持片１２ｂ、１２ｃから成る。
【００３８】
支持片１１ｂ、１２ｂの下端には折り線５０を介してそれぞれフラップ１１ａ、１２ａが連設される。また、背面板８の下端には折り線５０を介して天板４が連設される。
【００３９】
背面板８の裏面には背面板８と略同一形状の補強板（不図示）が背面板８に重なって接着される。また、天板４の内面には天板４と略同一形状の補強板（不図示）が天板４に重なって接着される。補強板の材質に特に限定はないが、例えばマニラボール、ボール紙、カード紙、クラフトボール等の板紙や段ボール紙を用いることができる。なお、補強板を省いてもよい。
【００４０】
次に、図４のブランク板８１において、支持片１１ｃ、１２ｃを折り線５０で山折りし、それぞれ支持片１１ｂ、１２ｂに重ねる。この時、支持片１１ｂ、１１ｃを接着剤等により互いに貼り合わせるとともに、支持片１２ｂ、１２ｃを接着剤等により互いに貼り合わせる。これにより、支持板１１、１２が形成される。
【００４１】
その後に、天板４を背面板８の後方に向けて略１８０度折り曲げるとともに、支持板１１、１２を背面板８の前面側に向けて折り線５０で略１８０度折り曲げる。図５は、折り畳まれた載置部３０を示す斜視図である。以上の折曲操作により、載置部３０は折り畳まれて扁平状態になる。
【００４２】
その後、折り畳まれた胴部１０及び載置部３０を図２の正面板２５上に載置する。そして、上板２３及び底板２４を胴部１０及び載置部３０に向けてマチ部２７を介して折り線５０で略１８０度折り曲げる。これにより、上板２３及び底板２４は正面板２５上に重なった状態に配される。
【００４３】
そして、側板２２を上板２３及び底板２４に向けてマチ部２７を介して折り線５０で略１８０度折り曲げる。その後に、側板２１を側板２２に向けてマチ部２７を介して折り線５０で略１８０度折り曲げる。これにより、側板２１、２２は上板２３及び底板２４上に重なった状態に配される。
【００４４】
図６は、搬送の際の展示台１を示す斜視図である。上記の折曲操作により、正面板２５、上板２３、底板２４及び側板２１、２２により外箱１００が形成され、折り畳まれた胴部１０及び載置部３０が外箱１００内に収納される。この時、ループ部２１ｆとフック部２２ｆとを互いに押し付け合うことにより側板２１、２２が互いに係止され、外箱１００が閉止される。
【００４５】
これにより、胴部１０及び載置部３０を外箱１００内に収納した状態で展示台１を設置場所に搬送し、保管することができる。また、胴部１０及び載置部３０は外箱１００からはみ出さないため、展示台１の搬送及び保管の際に、組み立て後に顧客等に視認されやすい胴部１０及び載置部３０の損傷等を防止することができる。また、展示台１の廃棄の際には外箱１００内に折り畳んだ胴部１０及び載置部３０を収納することにより展示台１の減容化を図ってゴミ容量を削減することができる。
【００４６】
この時、マチ部２７が正面板２５に対して略垂直になるように配されるため、胴部１０及び載置部３０を収納する空間を外箱１００内に十分に確保することができる。なお、マチ部２７を省いてもよい。
【００４７】
図７は、開封した外箱１００を示す斜視図である。展示台１の設置場所において、図６の外箱１００の閉止状態からループ部２１ｆとフック部２２ｆとの係止を解除し、側板２１、２２を互いに離れる方向に回動させる。その後に、上板２３及び底板２４を互いに離れる方向に回動させる。これにより、外箱１００を開封することができる。
【００４８】
図８は、組み立て途中の胴部１０の斜視図を示している。折り畳まれた胴部１０を外箱１００から取り出し、折り畳み部１０ａで前面板２及び背面板３を伸張する。その後に、折り畳み部６ａ、７ａで側面板６、７を伸張する。これにより、筒状の胴部１０が組み立てられる。
【００４９】
図９は、外箱１００から組み立てられる支持部材２０の斜視図を示している。胴部１０及び載置部３０が取り出された外箱１００において、正面板２５及び側板２１、２２を立設する。そして、上板２３を側板２１，２２の上面に配するとともに、底板２４を側板２１、２２の下面に配する。この時、側板２１、２２は互いに近づくように折曲部２１ａ、２２ａで折り曲げられる。そして、２つの切欠き２３ｃをそれぞれ切欠き２１ｃ、２２ｃに相互に嵌め合せるとともに、２つの切欠き２４ｃをそれぞれ切欠き２１ｄ、２２ｄに相互に嵌め合せる。これにより、外箱１００から支持部材２０が形成される。
【００５０】
この時、上板２３に設けた切欠き２３ｃと底板２４に設けた切欠き２４ｃの前後位置が異なっている。前後位置の異なる切欠き２３ｃ、２４ｃにより側板２１、２２が前後の２箇所で位置決めされるため、側板２１、２２の位置が一意に決められる。したがって、支持部材２０が高強度で型崩れせず、所定の断面形状に容易に形成することができる。
【００５１】
図１０は、組み立て途中の展示台１を示す斜視図である。図１１は、図１の展示台１の平面断面図を示している。外箱１００から組み立てられた支持部材２０に上方から胴部１０を被せる。すなわち、胴部１０の下方の開口を介して支持部材２０を胴部１０内に挿入する。この時、正面板２５の両側端２５ａ及び側板２１、２２の開放端２１ｈ、２２ｈによって胴部１０の頂点１０ｃが支持される。これにより、胴部１０の型崩れを防止することができる。
【００５２】
なお、図１１では正面板２５が背面板３側になるように支持部材２０を胴部１０内に配しているが、正面板２５が前面板２側になるように支持部材２０を胴部１０内に配してもよい。
【００５３】
図１２は、組み立て途中の載置部３０の斜視図を示している。図５の折り畳まれた載置部３０を外箱１００から取り出し、折り線５０を介して支持板１１、１２を互いに離れる方向に回動させる。そして、折り線５０を介して天板４を背面板８に対して略２７０度折り曲げる。これにより、背面板８は天板４の後端に連設して折曲により立設される。
【００５４】
支持板１１、１２を背面板８に対して前方に折り曲げるとともに、フラップ１１ａ、１２ａをそれぞれ水平方向に折り曲げる。そして、背面板８及び支持板１１、１２を胴部１０に内嵌し、支持部材２０と天板４との間にフラップ１１ａ、１２ａを配する。これにより、載置部３０が胴部１０の上端部に取り付けられる。以上の動作により、図１に示す展示台１を設置場所で容易に組み立てることができる。
【００５５】
そして、展示台１を店舗の床面に配置し、天板４上に商品を載置する。これにより、商品の展示が行われる。
【００５６】
本実施形態によると、折り畳まれた胴部１０及び載置部３０を収納して搬送される外箱１００を有し、胴部１０内に配されて胴部１０よりも低い支持部材２０が外箱１００を組み立てて形成される。これにより、胴部１０及び載置部３０を外箱１００内に収納したコンパクトな状態で展示台１を設置場所に搬送し、設置場所で展示台１を容易に組み立てることができる。また、展示台１の搬送時や保管時に胴部１０は外箱１００からはみ出さない。したがって、展示台１の搬送時や保管時に、組み立て後に顧客等に視認されやすい胴部１０の損傷を防止することができる。
【００５７】
また、展示台１の組み立て後には外箱１００を支持部材２０として利用することができる。したがって、展示台１の組み立て後でも外箱１００を有効利用することができる。
【００５８】
また、外箱１０は側板２１、２２、上板２３及び底板２４を正面板２５上に重ねて閉止されるとともに、正面板２５及び側板２１、２２を立設して上板２３及び底板２４を側板２１、２２の上下面に配することにより支持部材２０が形成される。これにより、外箱１００の四方を閉じるので、展示台１の搬送時や保管時の外箱１００内の胴部１０及び載置部３０の損傷を一層確実に防止することができる。
【００５９】
また、支持部材２０が側板２１、２２を折曲部２１ａ、２２ａで折曲し、側板２１、２２の切欠き２１ｃ、２２ｃを係止部２３ａの切欠き２３ｃに嵌め合せるとともに側板２１、２２の切欠き２１ｄ、２２ｄを係止部２４ａの切欠き２４ｃに嵌め合せて形成される。この時、切欠き２３ｃと切欠き２４ｃの前後位置が異なる。これにより、支持部材２０が高強度で型崩れせず、所定の断面形状に容易に形成できる。また、前後位置の異なる切欠き２３ｃ、２４ｃにより側板２１、２２が前後の２箇所で位置決めされるため、側板２１、２２の位置が一意に決められる。
【００６０】
また、胴部１０の水平断面形状を矩形に形成し、正面板２５の両側端２５ａ及び側板２１、２２の開放端２１ｈ、２２ｈによって胴部１０の頂点１０ｃを支持する。これにより、胴部１０の型崩れを防止することができる。
【００６１】
また、天板４の後端に連設して折曲により立設される背面板８及び背面板８の両側端に連設して前方に折曲される支持板１１、１２が胴部１０に内嵌する。これにより、載置部３０を胴部１０に容易に取り付けることができる。また、背面板８及び支持板１１、１２によって、天板４に載置した商品の展示台１からの落下を防止することができる。また、支持板１１、１２が水平方向に折曲されるフラップ１１ａ、１２ａを下端部に有し、フラップ１１ａ、１２ａが支持部材２０と天板４との間に配されるため、背面板８の傾倒を容易に防止できる。
【００６２】
また、天板４と背面板８（第１背面板）と支持板１１、１２とが一のブランク板８１により形成されるため、載置部３０を容易に形成することができる。
【００６３】
また、胴部１０が前面板２及び側面板６、７を形成するブランク板６１と背面板３（第２背面板）を形成するブランク板６２とを接着して水平断面形状を矩形に形成され、折り畳み部６ａ、７ａにより折り畳まれる。これにより、胴部１０を容易に形成できるとともに、容易に折り畳むことができる。
【００６４】
なお、本実施形態において、ループ部２１ｆ及びフック部２２ｆに替えて、側板２１、２２の一方に突設部を設けるとともに他方にスリットを設け、突設部をスリットに挿入して側板２１、２２を互いに係止して外箱１００を閉止してもよい。
【産業上の利用可能性】
【００６５】
本発明は、店舗の床面に配置される展示台に利用することができる。
【符号の説明】
【００６６】
１      展示台
２      前面板
３      背面板
４      天板
６、７  側面板
６ａ、７ａ    折り畳み部
６ｂ、７ｂ    糊代片
８      背面板
１０    胴部
１０ａ    折り畳み部
１０ｂ    開口
１０ｃ    頂点
１１、１２    支持板
１１ａ、１２ａ    フラップ
２０      支持部材
２１、２２      側板
２１ａ、２２ａ    折曲部
２１ｂ、２２ｂ    糊代片
２１ｃ、２１ｄ    切欠き
２２ｃ、２２ｄ    切欠き
２１ｆ      ループ部
２２ｆ      フック部
２３      上板
２３ａ    係止部
２３ｂ    糊代片
２３ｃ    切欠き
２４      底板
２４ａ    係止部
２４ｂ    糊代片
２４ｃ    切欠き
２５      正面板
３０      載置部
５０      折り線
６１      ブランク板
６２      ブランク板
７１、７２、７３、７４、７５      ブランク板
８１      ブランク板
１００    外箱
【図１】
2015104610.tif 000003
【図２】
2015104610.tif 000004
【図３】
2015104610.tif 000005
【図４】
2015104610.tif 000006
【図５】
2015104610.tif 000007
【図６】
2015104610.tif 000008
【図７】
2015104610.tif 000009
【図８】
2015104610.tif 000010
【図９】
2015104610.tif 000011
【図１０】
2015104610.tif 000012
【図１１】
2015104610.tif 000013
【図１２】
2015104610.tif 000014